(57)【要約】      （修正有）【課題】高速道路の分離帯において飛び石の心配が無く安全且つ容易に草刈作業が可能な草刈機を提供する。【解決手段】草刈機１００は、エンジンを搭載した自走式の草刈機であって、走行車輪４を有する本体部１と、本体部１の側面に取り付けられ、本体部１の進行方向に対して横に張り出したアーム２と、アーム２に取り付けられた往復式刈取刃３とを備え、往復式刈取刃３の受刃の上面に刈刃がアーム２の伸延方向に摺動可能に重ね合わせられている。【選択図】図１
0003183976.tif 000002
【実用新案登録請求の範囲】
【請求項１】
エンジンを搭載した自走式の草刈機であって、
走行車輪を有する本体部と、
前記本体部の側面に取り付けられ、当該本体部の進行方向に対して横に張り出したアームと、
往復式刈取刃とを備え、
前記往復式刈取刃は、帯状の固定基板と、当該固定基板の前縁部から並列状に多数突設した受刃と、前記アームに取り付けられた帯状の可動基板と、当該帯状の可動基板の前縁部から並列状に多数突設した刈刃とを有し、
前記受刃の上面に前記刈刃が該アームの伸延方向に摺動可能に重ね合わせられる、草刈機。
【請求項２】
前記往復式刈取刃の刈り高を調整することができる刈高調整手段を更に備える、請求項１に記載の草刈機。
【請求項３】
前記本体部の進行方向に対する前記往復式刈取刃の角度を調整することができる刈刃角調整手段を更に備える、請求項１又は２のいずれかに記載の草刈機。
【請求項４】
地面に対する前記アームの角度を調整することにより前記往復式刈取刃の刈り角を調整することができる刈角調整手段を更に備える、請求項１乃至３のいずれかに記載の草刈機。
【請求項５】
前記刈角調整手段は、前記アームの角度を地面に対して垂直な角度に調整可能である、請求項４に記載の草刈機。
【考案の詳細な説明】
【技術分野】
【０００１】
本考案は、高速道路の分離帯の草刈作業に使用される草刈機に関する。
【背景技術】
【０００２】
一般に草刈機は、牧草や野草などを刈取るための作業機であり、牧草専用のモーアと雑草を刈るグラスカッター、芝を刈る芝刈機などがある。又、肩掛式刈払機，背負式刈払機や畦草刈機及びモーアなどがある。このモーアには、乗用モーア，リールモーアやロータリーの芝刈機，果樹園内の雑草刈りに最適なオートモーア，牧草モーア，フライングモーア，ハンマーナイフモーアなどがある。
【０００３】
また従来、道路沿いの平地や土手などの草刈り作業、特に、高速道路などの草刈り作業を行う際には肩掛式刈払機が使用され、ハンドルを左右に振って回転刃が左右に振られて広範囲を草刈りしている。この時、肩掛式刈払機を使用すると、回転刃によって、小石や株などの破片がはじき飛ばされ、車に激突する恐れがあるため、１人が肩掛式刈払機で草刈りを行い、他の１人が小石や破片の飛散防止用のネットを道路側に立設させると共に草刈り作業者の横に並び、草刈り作業の進行に合せて一緒に進行し、車側に小石や破片が飛散しないように必ず２人で組になって、高速道路の草刈り作業が行われていた。
【０００４】
そこで、近年、高速道路の草刈作業が一人で楽に且つ確実に行えると共に小石や株などの飛散を気にすることなく作業を行えることを目的とした自走式の草刈機が開発されている（例えば、特許文献１を参照）。この自走式の草刈機は、多数の刃部を並設した2枚の刃板を重ね合わせて長手方向に摺動するバリカン方式の草刈刃体と、草刈刃体の基部を支点として左右に振られる揺動手段を備えている。
【先行技術文献】
【特許文献】
【０００５】
【特許文献１】特開２０１１−２１７６９８号公報
【考案の概要】
【考案が解決しようとする課題】
【０００６】
しかしながら、上記従来の草刈機は、草刈作業の効率化を図るため、草刈機前方に配置された草刈刃自体が１２０度から１７０度の角度で揺動する構成であるため、作業者は分離帯の草の上を作業中に広範囲に渡って小石や破片の飛散に注意を払わなければならないという課題があった。
【０００７】
そこで、本考案の目的は、高速道路の分離帯において安全且つ確実に草刈作業が可能な草刈機を提供することにある。
【課題を解決するための手段】
【０００８】
上記の課題を解決するために、本考案のある態様に係る草刈機は、エンジンを搭載した自走式の草刈機であって、走行車輪を有する本体部と、前記本体部の側面に取り付けられ、当該本体部の進行方向に対して横に張り出したアームと、往復式刈取刃とを備え、前記往復式刈取刃は、帯状の固定基板と、当該固定基板の前縁部から並列状に多数突設した受刃と、前記アームに取り付けられた帯状の可動基板と、当該帯状の可動基板の前縁部から並列状に多数突設した刈刃とを有し、前記受刃の上面に前記刈刃が該アームの伸延方向に摺動可能に重ね合わせられるものである。
【０００９】
上記構成により、往復式刈取刃が草刈機本体の進行方向に対して横に張り出したアームに取り付けられているので、作業者は草刈機本体とともに高速道路上を進みながら、往復式刈取刃により分離帯の上の草刈作業を安全且つ確実に行うことができる。また、往復式刈取刃の受刃と刈刃がアームの伸延方向に摺動可能に重ね合わせられているので、草の長さや地面の起伏に応じて草刈作業を効率的に行うことができる。
【００１０】
上記草刈機は、前記往復式刈取刃の刈り高を調整することができる刈高調整手段を更に備えてもよい。これにより、草の長さや地面の起伏に応じて、往復式刈取刃の刈高を適切な高さに調整することができるので、草刈作業の作業性を向上させることができる。例えば草刈機本体を上下させることにより、刈り高を調整してもよい。
【００１１】
上記草刈機は、前記本体部の進行方向に対する前記往復式刈取刃の角度を調整することができる刈刃角調整手段を更に備えてもよい。これにより、草の長さや地面の起伏に応じて、草刈機本体の進行方向に対する往復式刈取刃の角度を適切な角度に調整することができるので、草刈作業の作業性を向上させることができる。例えば往復式刈取刃の固定基板の角度を調整することにより、往復式刈取刃の角度を調整してもよい。
【００１２】
上記草刈機は、地面に対する前記アームの角度を調整することにより前記往復式刈取刃の刈り角を調整することができる刈角調整手段を更に備えてもよい。これにより、草の長さや地面の起伏に応じて、往復式刈取刃の刈り角を適切な角度に調整することができるので、草刈作業の作業性を向上させることができる。
【００１３】
上記刈角調整手段は、アームの角度を地面に対して垂直な角度に調整可能としてもよい。これにより、アームを垂直方向に折り畳むことができるので、草刈機自体をコンパクトにすることができ運搬が容易になる。
【考案の効果】
【００１４】
本考案によれば、高速道路の分離帯において安全且つ確実に草刈作業が可能な草刈機を提供することができる。
【図面の簡単な説明】
【００１５】
【図１】本考案の実施の形態に係る草刈機の斜視図である。
【図２】本考案の実施の形態に係る草刈機の平面図である。
【図３】本考案の実施の形態に係る草刈機の正面図である。
【図４】本考案の実施の形態に係る草刈機の右側面図である。
【図５】上記草刈機の往復式刈取刃の分解斜視図である。
【図６（ａ）】高さ調節前の上記草刈機の高さ調節部を説明するための模式図である。
【図６（ｂ）】高さ調節後の上記草刈機の高さ調節部を説明するための模式図である。
【図７】上記往復式刈取刃の操作端末の斜視図である。
【図８】上記往復式刈取刃の調整レバー付近の拡大図である。
【図９】上記草刈機を使用した高速道路の中央分離帯の草刈作業を示す模式図である。
【考案を実施するための形態】
【００１６】
本考案の実施の形態を、図面を参照しつつ説明する。なお、以下では全図を通じて同一又は相当する要素には同一の参照符号を付して、特に言及しない場合にはその重複する説明を省略する。
【００１７】
本考案に係る草刈機は、エンジンを搭載した自走式の草刈機であって、高速道路の分離帯の草刈作業に使用されるものである。
【００１８】
図１は、本考案の実施の形態に係る草刈機の斜視図である。図２は、本考案の実施の形態に係る草刈機の平面図である。図３は、本考案の実施の形態に係る草刈機の正面図である。図４は、本考案の実施の形態に係る草刈機の右側面図である。
【００１９】
図１から図４に示すように、草刈機１００は、本体部１と、本体部１の進行方向に対して横に張り出したアーム２と、往復式刈取刃３とを主に備える。
【００２０】
本体部１は、内部に搭載した図示しないエンジンにより駆動する走行車輪４と、草刈機１００の進行方向を操作するための左右のハンドル６と、往復式刈取刃３を駆動するための駆動部７とを備える。駆動部７は、内部で発生した動力を回転力としてフレキシブルシャフト８に伝達する。フレキシブルシャフト８は、駆動部７の側面に回転自在に接続され、駆動部７で発生した回転力を伝達する。本実施の形態では、２本のフレキシブルシャフト８を繋げて２系統の回転力を伝達するような構成としている。
【００２１】
アーム２は、本体部１の側面に取り付けられ、且つ、本体部１の進行方向に対して横に張り出している。アーム２上にはアーム２の伸延方向に揺動可能な揺動部９が配置される。揺動部９は、フレキシブルシャフト８と接続されており、内部に図示しないクランク機構を備え、フレキシブルシャフト８により伝達された回転運動を揺動運動に変換するように構成されている。本実施の形態では、２つの揺動部９が草刈機１００の進行方向に対して横に並列に配置され、各揺動部９が同期してアーム２の伸延方向に揺動するように構成される。
【００２２】
往復式刈取刃３は、本体部１の進行方向に対して横に張り出したアーム２に揺動部９を介して取り付けられる。これにより、作業者は草刈機１００とともに高速道路上を進みながら、往復式刈取刃３により分離帯の上の草刈作業を安全且つ確実に行うことができる。本実施の形態では、２つの揺動部９に接続された２組の往復式刈取刃３が草刈機１００の進行方向に対して横方向に同一軸上に一列に配置される。
【００２３】
図５は、往復式刈取刃３の構造を示す分解斜視図である。図５に示すように、往復式刈取刃３は、帯状の固定基板３１と、揺動部９を介してアーム２に取り付けられる帯状の可動基板３３とを有する。
【００２４】
固定基板３１の前縁部からは受刃３２が並列状に多数突設している。固定基板３１の中央寄りには、メネジ３１ｂが長手方向に沿って適宜ピッチに多数形成されている。更に、固定基板３１の表面上には、中央寄りに長手方向に沿って凹溝４１が形成されている。凹溝４１の底面には固定基板３１の裏面に開口する大小の貫通孔が複数形成されている。
【００２５】
可動基板３３の前縁部からは刈刃３４が並列状に多数突設している。可動基板３３上には、固定基板３１のメネジ３１ｂに対応する位置に往復動方向（図５の矢印）に沿って往復動案内長孔３３ａが複数設けられている。可動基板３３上には、帯状の固定挟持板３８が重ね合わされている。更に、固定挟持板３８上には、固定基板３１のメネジ３１ｂに対応する位置に挿通孔３８ａが複数設けられている。固定挟持板３８上には、固定基板３１のメネジ３１ｂに対応する位置に押圧具３５が配置される。
【００２６】
押圧具３５は、固定挟持板３８上の上面上方に位置する座部３５ａ、及び座部３５ａから突設した刈刃押圧部３５ｂから構成される。押圧具３５は、刈刃３４を受刃３２上にアーム２の伸延方向に摺動自在に挟圧保持するように固定基板３１に固定される。具体的には、ボルト３６を固定基板３１のメネジ３１ｂに螺着し、ボルト３６に外嵌する挿入部材３９を固定挟持板３８の挿通孔３８ａ及び可動基板３３の往復動案内長孔３３ａに挿入し、押圧具３５の挿通孔３５ｃにボルト３６の先端部を挿入して押圧具３５の座部３５ａの下面を挿入部材３９に当接させた後、ボルト３６の先端部にナット３７を取り付ける。ボルト３６とナット３７を締め付ける際には適宜座金４０を挟み込む。これにより、固定基板３１からの支持反力が挿入部材３９を介して押圧具３５の座部３５ａへ伝達されるので、常にスムーズな刈刃の往復運動が維持できる。その結果、往復式刈取刃３の取り扱いに不慣れなユーザが分解及び組立をした場合でも刈刃のスムーズな往復動が保証され、作業者は案塩に作業を行うことができ、受刃と刈刃との切れ味の鈍化を低減させることができる。
【００２７】
このように、往復式刈取刃３の受刃３２と刈刃３４がアーム２の伸延方向に摺動可能に重ね合わせられているので、草の長さや地面の起伏に応じて草刈作業を効率的に行うことができる。
【００２８】
草刈機１００は、図３に示すように、地面に対するアーム２の角度を調整することにより往復式刈取刃３の刈り角θＡを調整することができる刈角調整部１２を更に備える。往復式刈取刃３は、揺動部９を介してアーム２に取り付けられており、アーム２は、本体部１の側面に取り付けられている。
【００２９】
そこで、本実施の形態では、アーム角調整部１２は、本体部１に固定された結合部と、電動油圧シリンダと、アーム２に接続されたリンク機構を備える。シリンダの伸縮運動はリンク機構を支点としたアーム２の回転運動に変換される。このような構成としたことで、アーム角調整部１２の油圧シリンダを伸縮させることにより、アーム２の角度を調整することができるので、刈り角θＡを調整することができる。このように、草の長さや地面の起伏に応じて、往復式刈取刃３の刈り角θＡを適切な角度に調整することができるので、草刈作業の作業性を向上させることができる。
【００３０】
また、アーム角調整部１２は、アーム２の角度を地面に対して垂直な角度に調整することで、アーム２を垂直方向に折り畳んで草刈機自体をコンパクトにすることができるので、草刈機１００の運搬作業を容易にすることができる。
【００３１】
草刈機１００は、往復式刈取刃３の刈高を調整することができる刈高調整手段を更に備えている。往復式刈取刃３は、揺動部９を介してアーム２に取り付けられており、アーム２は、本体部１の側面に取り付けられている。そこで、本実施の形態では、草刈機１００は、刈高調整手段として、図１〜図４に示すように、草刈機本体部１を上下動可能な高さ調節部１４を備える。高さ調節部１４は、本体部１に固定された結合部と、結合部に接続された電動油圧シリンダと、電動油圧シリンダに接続されたフロントアーム１３とを備えている。フロントアーム１３の先端には左右の走行車輪４に対応して左右の前輪５が接続されている。図６は、草刈機１００の高さ調節部１４を説明するための模式図である。図６（ａ）は高さ調節前の模式図を示し、図６（ｂ）は高さ調節後の模式図を示している。同図に示すように、高さ調節部１４の油圧シリンダを伸ばすことにより、草刈機本体部１を上動させて刈高Ｈを高くすることができる。このようにして、草の長さや地面の起伏に応じて、往復式刈取刃３の刈高Ｈを適切な高さに調整することができるので、草刈作業の作業性を向上させることができる。
【００３２】
草刈機１００は、図１〜図４に示すように、ハンドル６付近に往復式刈取刃３の操作端末１０を更に備えている。図７は、操作端末１０の斜視図である。図７に示すように、操作端末１０は、立方体形状の端末本体１６を備え、端末本体１６の上面には操作レバー１５が設けられ、端末本体１６の側面には電源スイッチ１７が設けられている。
【００３３】
操作レバー１５は刈高の上方向、下方向、刈角の上向き及び下向きのいずれかの方向に操作される。操作レバー１５の刈高の上下方向の入力操作により、操作量に応じて、草刈機本体部１の高さ調節部１４が備える電動油圧シリンダの伸縮が制御されるので、往復式刈取刃３の刈高を調整することができる。更に、操作レバー１５の刈角の上下の向きの入力操作により、操作量に応じて、草刈機本体部１のアーム角調整部１２が備える電動油圧シリンダの伸縮が制御されるので、アーム２の角度を調整することができ、刈り角θＡを調整することができる。
【００３４】
このように、操作端末１０の操作レバー１５により、刈高調整及び刈角調整の各操作をハンドル６の手元側で行うことができる。これにより、作業者はハンドル６を握ったまま各操作を行うことができるので、草刈機の操作性を向上させることができる。
【００３５】
草刈機１００は、往復式刈取刃３の角度を調整することができる刈刃角調整手段を更に備える。往復式刈取刃３は、揺動部９を介してアーム２に取り付けられている。そこで、本実施の形態では、草刈機１００は、刈刃角調整手段として、図８に示すように、アーム２の軸を回転自在且つ所望な回転量で固定可能な調整レバー１１を備える。往復式刈取刃３の角度は、通常では草刈機１００の進行方向に対して平行な向きになるようにアーム２の軸を固定する。一方、草刈機１００は、調整レバー１１により、通常は固定されているアーム２の軸を回転させることにより往復式刈取刃３の角度を調整する。例えばレバーを右に回すことにより、図４に示すように、刈取刃の角度θＢを上向きに調整し、レバーを左に回すことにより刈取刃の角度θＢを下向きに調整することができる。これにより、草の長さや地面の起伏に応じて進行方向に対して刈刃角を上下自在に傾けることができるので、草刈作業の作業性を向上させることができる。
【００３６】
また、図６に示すように、高さ調節部１４により刈高を変更するために草刈機本体部１の高さを上下に調整した場合には刈刃角θＢが設定していた角度からずれてしまうことがある。そのような場合には調整レバー１１により刈取刃の角度θＢを補正することができる。
【００３７】
図９は、草刈機１００を使用して高速道路の中央分離帯の草刈作業の様子を示している。同図に示すように、作業者は、草刈機１００を使用することにより、ガードレールや植込みなどの構造物により中央分離帯が構成されている場合であっても、分離帯の斜面の起伏や草の長さに応じて安全且つ確実に草刈作業を行うことができる。
【００３８】
尚、本実施の形態では、２組の往復式刈取刃３を草刈機１００の進行方向に対して横方向に同一軸上に一列に配置したが、これに限られるものではなく、草刈作業の範囲に応じて、刈取範囲が狭い場合には往復式刈取刃３を１組とし、刈取範囲が広い場合には往復式刈取刃３を３組又はそれ以上としてもよい。これにより、作業効率をより向上させることができる。
【００３９】
また、本実施の形態では、刈高調整及び刈角調整を電動式のレバー操作により自動で行う構成とし、刈刃角度の調整はハンドル操作により手動で行う構成としたが、これに限られるものではない。刈刃角度の調整も電動式のレバー操作により行う構成としてもよい。これにより、草刈機の操作性がよくなり作業効率を向上させることができる。
【００４０】
上記説明から、当業者にとっては、本考案の多くの改良や他の実施の形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４１】
本考案は、高速道路の分離帯において安全且つ確実に草刈作業を行う上で有用である。
【符号の説明】
【００４２】
１・・・本体部
２・・・アーム
３・・・往復式刈取刃
４・・・走行車輪
５・・・前輪
６・・・ハンドル
７・・・刈取刃駆動部
８・・・フレキシブルシャフト
９・・・揺動部
１０・・・操作端末
１１・・・調整ハンドル
１２・・・アーム角調整部
１３・・・フロントアーム
１４・・・高さ調整部
１５・・・操作レバー
１６・・・端末本体
１７・・・電源スイッチ
３１・・・固定基板
３１ｂ・・・メネジ
３２・・・受刃
３３・・・可動基板
３３ａ・・・往復動案内長孔
３４・・・刈刃
３５・・・押圧具
３５ａ・・・座部
３５ｂ・・・刈刃押圧部
３５ｃ・・・挿通孔
３６・・・ボルト
３７・・・ナット
３８・・・固定挟持板
３８ａ・・・挿通孔
３９・・・挿入部材
４０・・・座金
４１・・・凹溝
１００・・・草刈機
【図１】
0003183976.tif 000003
【図２】
0003183976.tif 000004
【図３】
0003183976.tif 000005
【図４】
0003183976.tif 000006
【図５】
0003183976.tif 000007
【図６（ａ）】
0003183976.tif 000008
【図６（ｂ）】
0003183976.tif 000009
【図７】
0003183976.tif 000010
【図８】
0003183976.tif 000011
【図９】
0003183976.tif 000012